(57)【要約】【解決手段】  腕時計ケースに取り外し可能に固定されるよう意図された端部を有するリストバンド（１０）のストランドであって、前記ストランドは前記端部に配置される突起（１６）または溝を有し、前記突起（１６）または溝は腕時計ケースの溝または突起に収容されることが意図され、前記ストランドは前記突起（１６）の厚さ内にまたは前記溝を形成する壁の厚さ内に配置される少なくとも一つの垂直開口部（１７）を有し、前記ストランドは弾性要素（３０）を有し、前記垂直開口部は、前記弾性要素（３０）と前記少なくとも一つの垂直開口部の長さの少なくとも一部をピン（２０）が通過することを受け入れることを可能とする、リストバンド（１０）のストランド。【選択図】  図２
2019197047.tif 000002
【特許請求の範囲】
【請求項１】
腕時計ケースに取り外し可能に固定されるよう意図された端部を有するリストバンド（１０）のストランドであって、前記ストランドは前記端部に配置される突起（１６）または溝を有し、前記突起（１６）または溝は腕時計ケースの溝または突起に収容されることが意図され、前記ストランドは前記リストバンド（１０）のストランドに配置される前記突起（１６）の厚さ内にまたはリストバンド（１０）のストランドの前記溝を形成する壁の厚さ内に配置される少なくとも一つの垂直開口部（１７）を有し、前記ストランドは前記少なくとも一つの垂直開口部（１７）に少なくとも一部面するよう位置された弾性要素（３０）を有し、前記垂直開口部は、前記弾性要素（３０）と、前記少なくとも一つの垂直開口部の長さの少なくとも一部とを、ピン（２０）が通過することを受け入れることを可能とする、リストバンド（１０）のストランド。
【請求項２】
前記少なくとも一つの垂直開口部（１７）は前記リストバンドのストランドの前記突起または前記溝の面の一つに開口し、およびまたは前記少なくとも一つの垂直開口部はリストバンドのストランドに配置される前記突起または前記溝の厚さを貫通する、
前記請求項１に記載のリストバンドのストランド。
【請求項３】
前記弾性要素（３０）はリストバンドの前記ストランドの下面または上面に配置されるハウジング（１８）に収容され、リストバンドの前記ストランドの前記面に平行な面に実質的に延びる、
前記請求項１または２に記載のリストバンドのストランド。
【請求項４】
前記弾性要素（３０）は、ピンを使用して最小の隙間が形成されるよう腕時計ケースにリストバンドの前記ストランドを保持することを可能とする要素であり、前記弾性要素は、止め輪、Ｕ字またはＴ字断面を有するポリマーシール、Ｏリング、四つの丸い突出部を有する輪またはバネ座金、とりわけ金属箔、から選択される、
前記請求項３に記載のリストバンドのストランド。
【請求項５】
前記弾性要素（３０）は軸Ａ３０のまわりに配置される貫通開口を有し、前記弾性要素（３０）の軸Ａ３０はオフセットされ、とりわけ前記垂直開口部（１７）の軸Ａ１７から好ましくは０．０２から０．５ｍｍの範囲でオフセットされる、
前記請求項４に記載のリストバンドのストランド。
【請求項６】
前記ストランドはリストバンドの柔軟なストランドか、または少なくとも一つのリンクを有する、
前記請求項１から５のいずれかに記載のリストバンドのストランド。
【請求項７】
前記請求項１から６に記載のリストバンドのストランドを腕時計ケースに取り外し可能に固定する固定装置であって、
前記腕時計ケースの周り、とりわけ、前記腕時計ケースの胴（２）の周りに配置されるフレームの面に平行な少なくとも一つの溝であって、前記腕時計ケースの前記フレームの面に平行な上面（５）および下面（４）によって範囲を規定され、前記少なくとも一つの溝はリストバンドの前記ストランドの前記端部に配置された突起（１６）を受け入れ可能な、溝と、
少なくとも一つの開口（７）が前記リストバンド（１０）の前記ストランドの少なくとも一つの垂直開口部（１７）と実質的に整列されるよう、前記腕時計ケースの少なくとも一つの溝の範囲を規定する前記下面（４）または上面（５）のうちの一つを垂直に貫通する少なくとも一つの腕時計ケースの開口（７）と、
前記各開口（７、１７）に対応する前記腕時計ケース内またはリストバンドの前記ストランド内に配置された、前記弾性要素（３０）を通過して収容可能な少なくとも一つのピン（２０）であって、前記腕時計ケースのリストバンドの前記ストランドの保持を保証するため、リストバンドの前記ストランドの前記少なくとも一つの垂直開口部（１７）および前記少なくとも一つの腕時計ケースの開口（７）を貫通する、ピン
を有する固定装置。
【請求項８】
前記少なくとも一つのピン（２０）の長さＬ２０は前記リストバンド（１０）のストランドの前記少なくとも一つの垂直開口部（１７）の長さＬ１０と同じかそれ以下である、
前記請求項７に記載の固定装置。
【請求項９】
前記少なくとも一つのピンは、前記弾性要素に収容されることを意図される小さな直径を有する中間部分（２２）を有する、
前記請求項７または８に記載の固定装置。
【請求項１０】
リストバンドの前記ストランドに配置された前記突起（１６）の高さは実質的に前記腕時計ケースに形成された溝の高さと等しく、前記少なくとも一つのピンが挿入される面とは反対の突起（１６）の面（１５）は、前記腕時計ケースに配置された溝の範囲を規定する面（５）にしっかりと押し付けられ、この面（５）は前記少なくとも一つのピン（２０）を受け入れるリストバンドの前記ストランドの前記少なくとも一つの垂直開口部（１７）を有する前記突起の範囲を規定する面とは反対の面である、
前記請求項７から９のいずれか一項に記載の固定装置。
【請求項１１】
前記腕時計ケースに形成された少なくとも一つの溝は、二つの突出部（３）の間においてケース胴（２）に配置される、
前記請求項７から１０のいずれか一項に記載の固定装置。
【請求項１２】
前記請求項１から６に記載のリストバンドのストランドを腕時計ケースに取り外し可能に固定する固定装置であって、
腕時計ケースの周り、とりわけ前記腕時計ケースの胴（２）の周りに配置されるフレームの面に平行な少なくとも一つの突起であって、前記腕時計ケースの前記フレームの面に平行な上面（５）および下面（４）によって範囲を規定され、前記少なくとも一つの突起はリストバンドの前記ストランドの前記端部に配置された溝を受け入れ可能な、突起と、
前記ストランドが固定されたとき、前記腕時計ケースの少なくとも一つの開口（７）が前記リストバンド（１０）の前記ストランドの溝を規定する壁に配置される少なくとも一つの垂直開口部（１７）と実質的に整列されるよう、前記腕時計ケースの前記少なくとも一つの突起を垂直に貫通する、少なくとも一つの腕時計ケースの開口（７）と、
前記各開口（７、１７）に対応する前記腕時計ケース内またはリストバンドの前記ストランド内に配置された、前記弾性要素（３０）を通じて収容可能な少なくとも一つのピン（２０）であって、前記腕時計ケースのリストバンドの前記ストランドの保持を保証するため、リストバンドの前記ストランドの前記少なくとも一つの垂直開口部（１７）および前記少なくとも一つの腕時計ケースの開口（７）の一部を貫通する、ピン
を有する固定装置。
【請求項１３】
前記請求項１から６に記載のリストバンドのストランドを取り外し可能に固定することを意図する腕時計ケースであって、前記腕時計ケースは、前記腕時計ケースの周り、とりわけ、前記腕時計ケースの胴（２）の周りに配置されるフレームの面に平行な少なくとも一つの溝であって、前記腕時計ケースの前記フレームの面に平行な上面（５）および下面（４）によって範囲を規定され、前記少なくとも一つの溝はリストバンドの前記ストランドの端部に配置された突起（１６）を受け入れる、溝を有し、
前記少なくとも一つの腕時計ケースの開口（７）は、前記腕時計ケースの前記溝の範囲を規定する前記上面または下面のうち一つを垂直に貫通し、リストバンドのストランドを固定するためのピン（２０）を受け入れ可能であり、弾性要素（３０）が前記少なくとも一つの開口（７）に少なくとも部分的に面するよう配置され、または前記腕時計ケースは、
前記腕時計ケースの周りに配置された突起を有し、前記突起はリストバンドのストランドに形成された溝に収容されることを意図され、少なくとも一つの垂直開口部は前記突起の厚さ方向に配置され、弾性要素が前記少なくとも一つの垂直開口部に少なくとも部分的に面するよう配置され、前記弾性要素が、前記腕時計ケースの開口長さの少なくとも一部およびリストバンドのストランドの少なくとも一つの垂直開口部を通る、ピンの挿入を受け入れ可能である、
腕時計ケース。
【請求項１４】
前記請求項１から６に記載のストランドを一つまたは二つ有する、リストバンド。
【請求項１５】
時計、とりわけ腕時計であって、腕時計ケースと、請求項７から１２のいずれか一項に記載の固定装置によって前記腕時計ケースに取り外し可能に固定されたリストバンド（１０）とを有し、または前記時計は請求項１３に記載の腕時計ケースを有し、または前記時計は、請求項１４に記載のリストバンドを有する、
時計。
【発明の詳細な説明】
【技術分野】
【０００１】
本発明は、リストバンドのストランドを腕時計ケースに固定するための装置に関する。本発明はまた、リストバンドのストランド、および本発明に係る固定装置を使って腕時計ケースに固定するよう設計されたリストバンドに関する。さらに本発明は、本発明に係る固定装置を使ってリストバンドを固定するよう設計された腕時計ケースに関する。
【背景技術】
【０００２】
リストバンドを腕時計ケースに装着するための伝統的な手段は、ストランドの一端に形成された横断開口内に配置されたばね棒を使用するものであり、ストランドの二つの端部はそれぞれ、腕時計ケースの各突出部の内部面に形成されたハウジングと係合するような形状を有する。リストバンドがこのような伝統的な方法によって取り付け取り外しされる場合、ばね棒の各端部はリストバンドの突出部の間に取り付け可能なように一時的に引っ込められ、開放された後は各突出部に形成されたハウジングにそれぞれ挿入されるよう、設計される。そのような操作は著しい組立時間を必要とし、特別な手際を要する。このことにより腕時計、特に腕時計ケースの突起部下面の表面仕上げに傷をつける結果をもたらすことがある。
【発明の概要】
【発明が解決しようとする課題】
【０００３】
本発明の一般的な目的は、従来技術の有する欠点の全てまたは一部を解消した、リストバンドを腕時計ケースに固定する解決策を提供することにある。
【０００４】
より詳細には、本発明の第一の目的は、リストバンドを腕時計ケースに固定する解決策であって、リストバンドの固定およびまたは取り外し作業を容易にする解決策を提供することにある。
【０００５】
本発明の第二の目的は、リストバンドを腕時計ケースに固定する解決策であって、リストバンドを信頼性高くかつ遊びのない状態で保持することを可能とする解決策を提供することにある。
【０００６】
本発明の第三の目的は、リストバンドを腕時計ケースに固定する解決策であって、リストバンドと腕時計ケースとの間の連結に満足のいく美しい外観を与えることのできる解決策を提供することにある。
【０００７】
本発明の第四の目的は、リストバンドを腕時計ケースに固定する解決策であって、取り付けまたは取り外しを行う際、部品に損傷を与える、特に腕時計ケースに傷をつけるリスクを含まない解決策を提供することにある。
【０００８】
本発明の第五の目的は、リストバンドを腕時計ケースに固定する解決策であって、細い突出部およびまたは突出部幅（突出部同士の間の幅）を有しまたは突出部を有さないケース胴に固定する解決策を提供することにある。
【課題を解決するための手段】
【０００９】
このため、本発明はリストバンドのストランドに関し、リストバンドは腕時計ケースに対して取り外し可能に固定されることを意図する端部を有し、前記ストランドは前記端部に配置される突起または溝を有し、前記突起または溝は腕時計ケースの溝または突起に収容されることが意図され、前記ストランドは前記突起または前記溝を形成する壁の厚さに配置される少なくとも一つの垂直開口部を有し、前記ストランドは弾性要素を有し、前記弾性要素と前記少なくとも一つの垂直開口部の長さの少なくとも一部とをピンが通過することを受け入れることを可能とする。
【００１０】
別の例として、本発明は、上述したリストバンドのストランドの雄固定部品に対応する雌部品を有する腕時計ケースに関する。別の例として、固定装置の雄部品と雌部品とはリストバンドのストランドと腕時計ケースとの間で交換可能である。さらに別の例として、前記弾性要素は雄部品または雌部品に配置されてもよい。
【００１１】
本発明はさらにそのような固定装置、リストバンドおよび時計に関する。
【００１２】
本発明は特許請求の範囲により詳細に説明する。
本発明の目的、特徴および長所は、本発明を被制限的に示す添付図面を参照する実施形態において詳細に説明する。
【図面の簡単な説明】
【００１３】
【図１】図１は、本発明の一実施形態に係るリストバンドを腕時計ケースに固定する装置を上から示す透視図である。
【図２】図２は、本発明の実施形態に係るリストバンドを腕時計ケースに固定する装置の長手中央垂直面の断面図である。
【図３】図３は、本発明の実施形態に係る固定装置を介して腕時計ケースと協働するよう意図される端部を有するリストバンドの端部の長手中央垂直面の断面図である。
【図４】図４は、リストバンドを取り付ける段階における、本発明の実施形態に係る固定装置の長手中央垂直面の断面図である。
【図５】図５は、固定構成にある本発明の実施形態に係る固定装置の長手中央垂直面の断面図である。
【図６】図６は、リストバンドを取り外す段階における、本発明の実施形態に係る固定装置の長手中央垂直面の断面図である。
【図７】図７は、図６の詳細を示す拡大断面図である。
【図８】図８は、本発明の実施形態に係る固定装置において使用可能な弾性要素の形態を示す側面図である。
【図９】図９は、本発明の実施形態に係る固定装置において使用可能な弾性要素の別の形態を示す側面図である。
【図１０】図１０は、本発明の実施形態に係る固定装置において使用可能な弾性要素の別の形態を示す側面図である。
【図１１】図１１は、本発明の実施形態に係る固定装置において使用可能な弾性要素の別の形態を示す側面図である。
【図１２】図１２は、本発明の実施形態に係る固定装置において使用可能な弾性要素の別の形態を示す側面図である。
【発明を実施するための形態】
【００１４】
以下の説明を簡易にするため、腕時計を見る人に向かって腕時計ケースの面に垂直の方向を、垂直方向ｚと呼ぶ。「下」という表現は、装着者の手首に接触することが意図される、腕時計ケースとリストバンドの面を指す。第一突出部３の中央から反対側の第二突出部３の中央に延びる方向であって、鉛直方向に対して垂直な方向を、横断方向ｙと呼ぶ。最後に、鉛直および横方向に垂直な、リストバンドの長さ方向に沿う方向を、長手方向ｘと呼ぶ。
【００１５】
図１は、本発明の一実施形態に係る固定装置１を使用することにより取り外し可能に固定されるリストバンド１０の二つのストランドの間に対照的かつ反対同士に形成された二つの突出部３を周辺部に有するケース胴２を含む腕時計ケースを示す。簡易化のため、リストバンドの一つのストランドの端部のみを、さらに詳細にはストランドの端部リンクを示し、それによりストランドは組み立てられたリンクからなるものとして意図される。この端部リンクは、腕時計ケースに固定されるストランドの端部に対応する第一端部と、連結ピンを受けることが意図される横断開口の形状を有するリストバンドのストランドの別のリンクに対応する受け装置１１を有する第二端部とを有する。もちろん、本発明の実施形態に係る固定装置１は、関節式連結リンクからなるリストバンド以外の他のタイプのリストバンド、例えば革やまたは複合材料からなる弾性リストバンドのストランドも固定するよう設計される。さらに、リストバンドの二つのストランドは好ましくはそれぞれ、腕時計ケース胴２の二つの突出部３からなる組のそれぞれの間に、同一の固定装置１を使って固定され、その後それぞれの他端部が留め具によって固定される。
【００１６】
本発明の実施形態にかかるリストバンド１０のストランド用の固定装置１は、リストバンド１０を固定する構成を示す図２においてより詳細に示される。この固定装置１は第一にケース胴２の突出部間に形成された空間の領域に依拠し、リストバンド１０のストランドの端部に配置される特別な形状と協働する。
【００１７】
突出部同士の間の空間は実際には構成要素を有し、構成要素の断面は、例えば、リストバンドに向かうＵ形状を有しまたは実質的に有し、それにより横溝を規定する。この溝は第一突出部３から（横軸ｙに沿って）第二突出部３へ横方向に延び、溝は下面４、上面５および下面と上面とをケース胴２において連結する鉛直面６によってその範囲を規定される。下面４は、横断方向から考慮して突出部間の空間の中央に実質的に垂直に配置される貫通孔７（開口７）を有する。
【００１８】
リストバンド１０はその端部に、図３にさらに詳細に示すように、その端部にケース胴の突出部間の空間に配置された溝に収容されることを意図した突起１６を有する。この突起１６は、横断方向からみて突起の中央部分に実質的に位置される、垂直方向の貫通孔１７（開口１７）を有する。この構成は、突出部間の空間にある溝にリストバンド１０の突起１６が収容されたとき、二つの穴７と１７が実質的に整列されるよう設計される。リストバンド１０はさらに、突起１６の下面に、取り外し可能に弾性要素３０を収容するよう意図されたハウジング１８を有する。このような弾性要素３０はリストバンドのストランドの面に平行な面に実質的に延び、以下に詳細に説明するとおり、突起の穴１７からオフセットされうる貫通開口を有し、特にこの開口は好ましくは０．０２ｍｍから０．５ｍｍの範囲でオフセットされてよい。
【００１９】
リストバンド１０のストランドを腕時計ケースに固定するための固定装置１はさらにピン２０を有し、このピン２０の下部２３はケース胴２の穴７に収容され、中間部２２は弾性要素３０の穴に収容され、上部２１はリストバンド１０の突起１６の穴１７に収容される。ピン２０は、弾性要素３０と共に、腕時計ケースに対してリストバンド１０を信頼性高くかつ遊びのない状態で保持する。
【００２０】
本実施形態に係るリストバンド固定装置の働きについて、図４および５を参照して詳細に説明する。
【００２１】
事前の段階において、弾性要素３０は、前に説明したとおり、リストバンドの端部に配置されたハウジング１８内に位置される。本発明によると、弾性要素３０は実質的に円環形状を有し、ハウジング１８は弾性要素の直径より少し小さい直径を有する円形断面を有し、弾性要素はわずかに圧縮されることによりハウジング内に保持される。次に、リストバンドの端部は腕時計ケースの突出部間の空間に配置され、リストバンドの突起１６は突出部間に配置された溝に位置される。一つの所見として、この突起１６の高さは、高さ方向において、溝の範囲を規定する表面である下面４と上面５の二つの面の間の距離に実質的に対応し、抵抗にあうことなく突起を挿入することを助けるために、わずかな隙間を有する。同様に、長手方向に計測した突起１６の長さに実質的に対応する溝の深さは、突起が垂直面１２に早期に接触することによりブロックされることのないよう、わずかな隙間を有している。
【００２２】
次に、ピンの垂直挿入の途中段階を表す図４に示す通り、ピン２０はケース胴２の穴７に挿入される。ピンの上部２１はその中間部２２の直径よりも大きな直径を有する。ピンの上部２１は、弾性要素３０の穴よりも大きな直径を有する。ピン２０は弾性要素を介して駆動される：もちろん、上述の直径や弾性要素の弾性特性は、弾性要素を損傷することなくピンが適切な力で挿入されることを可能とするよう、かつこの挿入が完了したときにピンおよびリストバンドが正しく保持されることを保証するよう、選択される。この挿入は、図２および５に示す最終位置であって、弾性要素３０の穴の中にピン２０の小直径を有する中間部２２が配置される位置に、ピン２０が到達するまで継続する。
【００２３】
ピン２０が最終位置にあるとき、弾性要素３０によって軸方向にブロックされているように見うけられ、それによりピンを信頼性高く安定して接続することが可能となる。その結果、リストバンドを信頼性高く固定することができる。さらに、弾性要素３０は弾性特性を有することから、遊びを補い、腕時計ケースに対して遊びを有さずにリストバンド１０を固定することができる。ピン２０の挿入は突起１６の上面１５を溝の上面５に対して押圧する効果を有し、それにより鉛直方面の遊びなく、リストバンドが位置に固定されることを保証する。
【００２４】
本発明の実施形態によると、リストバンド１０のハウジング１８と穴１７との間はオフセットされる。さらに、リストバンドのハウジング１８と腕時計ケースの穴７との間もオフセットされる。さらに詳細には、リストバンド１０の穴１７の軸Ａ１７は、弾性要素３０の軸Ａ３０を規定する腕時計ケースのハウジング１８の軸に対して長手方向にわずかに後方に位置される。このようにして、弾性要素３０の貫通開口は、図３により詳細に示す通り、リストバンド１０の穴１７からわずかにオフセットされる。
【００２５】
弾性要素３０を変形、特に圧縮、することによりピン２０を二つの穴７と１７に貫通させ、上述のオフセットを補償することができる。その結果、腕時計ケースに向かって長手方向に配置され、突出部間のスロットの上面５端部にある垂直面８に対してしっかりとリストバンドの垂直上面１９を押し当てるよう、リストバンドに対して特定の負荷が与えられる。この実施形態は、リストバンドを長手方向に遊びを有さず保持することを奨励する。さらに、この実施形態は腕時計ケースの上面とリストバンドの上面との境界における連続性を補償することにより優れた審美的作用を保証することができる。
【００２６】
図６と７は、リストバンドを取り外す段階を図示する。そのためには、ピン２０は上述した取付段階と同一の方向に弾性要素によって駆動される。この作業中、ピンの上部２１と実質的に同じ直径を有するピンの下部２３は、弾性要素３０内に収容される。当該作業は、図６および７に示した位置である、ケース胴の突出部間に形成された穴７からピン２０が完全に外れる時点まで継続する。備考として、この作業を可能とするためには、リストバンド１０の穴１７の長さＬ１０は少なくともピン２０の長さＬ２０と同じでなくてはならない。このように、上述の要件が満たされる限り、穴１７は盲孔であってもよい。図６および７に示した位置においては、ピンはもはやリストバンド１０をブロックしておらず、リストバンド１０は長手方向ｘに向かって簡単に引っ張ることにより取り外すことができる。ピン２０は続く取付作業に対する準備のために、回復されまたは取り換え可能である。
【００２７】
弾性要素３０は輪または止め輪の形状を有する。弾性要素３０はポリマーシールやエラストマーシールであってよい。その断面形状は、図８に部分的に示し、また図２から７に示す通り、Ｕ字型であってもよく、または図９に示す通り、Ｔ字型であってもよい。代案として、弾性要素３０は図１０に示す通り、Ｏリング形状であってもよく、さらには図１１に示す通り、四つの丸い突出部を有するシーリングリングであってもよい。さらに別の形状の代案として、図１２に示す通り、バネ座金、とりわけ金属箔を使用することもできる。さらには、弾性要素は様々な異なる形状をとることができる。
【００２８】
もちろん、本発明は上述の実施形態に限るものではない。ケース胴も、腕時計ケースさえも、リストバンドを受けて垂直ピンを使用して保持することを可能とする別のいかなる形状を有してもよい。例えば、ケース胴内の穴７は、溝の上面５にある穴として形成されてもよく、その場合リストバンドはその上面に配置される弾性要素を有することとなる。ケース胴は突出部を有する必要はなく、突出部とは独立して溝を配置することができる。加えて、リストバンドは別の形状の突起を有することができる。リストバンドの穴１７は、貫通孔である必要はなく、ブレスレットのストランドの突起の一面または別の面に開口するものであってもよい。弾性要素はリストバンドの穴に対応するよう異なって配置されてもよい。
【００２９】
さらに、ピンは１．５ミリ以下の最大直径を有する。この直径は０．８から１．４ミリの間であることが好ましい。別の例として、ピンは別の形状、例えば円形ではない断面形状を有することができる。別の例として、ピンは、組立状態をよく保持することを保証しつつ、弾性要素を介して取り付けおよび取り外し作業を可能とする、全長を通して一定の断面形状を有する簡易な形状をとることができる。最後に、本実施形態は一つのピンを使用して満足な結果を得ることを可能とすることができる。別の例として、リストバンドの一つの同一ストランドを固定するのに二つ以上のピンを使用することもできる。
【００３０】
最後に、上述した連結構造は当然反対の構成であってもよく、突起がケース胴、とりわけ突出部の間に配置され、リストバンドのストランド端部に配置された溝と協働するよう構成されてもよい。さらには、どちらの例においても、弾性要素は、上述したとおりの突起を有する構成要素または他方の溝を有する構成要素である、リストバンドでも腕時計ケースでも、どちらの構成要素に収容されてもよい。最後に、腕時計ケースとリストバンドのストランドとの間の連結は雄部品を形成する一つの突起と、雌部品を形成する一つの溝との間の協働により実施されるとしたが、別の例として、一つまたは複数のピンによって固定されるいくつかの突起といくつかの溝との協働によって実施されてもよい。このようにして、本発明は少なくとも一つの突起と少なくとも一つの溝とを有する実施に適用される。
【符号の説明】
【００３１】
４  下面
５  上面
７  穴
１０  リストバンド
１６  突起
１７  穴
１８  ハウジング
２０  ピン
３０  弾性要素
【図１】
2019197047.tif 000003
【図２】
2019197047.tif 000004
【図３】
2019197047.tif 000005
【図４】
2019197047.tif 000006
【図５】
2019197047.tif 000007
【図６】
2019197047.tif 000008
【図７】
2019197047.tif 000009
【図８】
2019197047.tif 000010
【図９】
2019197047.tif 000011
【図１０】
2019197047.tif 000012
【図１１】
2019197047.tif 000013
【図１２】
2019197047.tif 000014
【外国語明細書】
2019197047000001.pdf
2019197047000002.pdf
2019197047000003.pdf
2019197047000004.pdf